(57)【要約】【課題】  アンプ回路を内蔵していない自動絞りレンズと組み合わせるテレビジョンカメラは、レンズ側の応答速度に関係なく一定のループゲインにてレンズ絞りを制御していたため、組み合わせるレンズによって応答速度が異なっていた。また、カメラの使用される状況に応じた応答速度に調整できなかった。特に、移動体を撮像する状況においてはレンズ絞りの応答速度を調整したいが調整できない、調整するための表示がないという課題があった。【解決手段】  本発明は、絞り制御可能なレンズ部とレンズ部からの入射光を撮像し、映像信号を出力する撮像部とモニタとを有するテレビジョンカメラにおいて、撮像部は、レンズ部の絞りを制御するループゲイン可変部と、ループゲイン可変部の設定を行う設定部およびモニタに設定部の設定内容を表示する表示手段とを備えることをである。【選択図】  図１
2006086815.tif 000002
【特許請求の範囲】
【請求項１】
絞り制御可能なレンズ部と該レンズ部からの入射光を撮像し、映像信号を出力する撮像部とモニタとを有するテレビジョンカメラにおいて、
前記撮像部は、前記レンズ部の絞りを制御するループゲイン可変部と、該ループゲイン可変部の設定を行う設定部および前記モニタに前記設定部の設定内容を表示する表示手段とを備えることを特徴とするテレビジョンカメラ。
【請求項２】
請求項１記載のテレビジョンカメラにおいて、更に外部入力端子を備え、該外部入力端子から入力する信号によって前記ループゲイン可変部の設定を行うことを特徴とするテレビジョンカメラ。
【発明の詳細な説明】
【技術分野】
【０００１】
本発明は、テレビジョンカメラに関し、特にアンプ回路を内蔵していない自動絞りレンズと組み合わせたテレビジョンカメラに関するものである。
【背景技術】
【０００２】
従来、アンプ回路を内蔵していない自動絞りレンズを組み合わせたテレビジョンカメラは、レンズ側の応答速度に関係なく一定のループゲインでレンズ絞りを制御しているため、このテレビジョンカメラに組み合わせるレンズによって応答速度が異なっていた。また、カメラの使用される状況に応じた応答速度に調整できなかった。
【０００３】
なお、自動絞りレンズの制御値の設定をカメラ遠隔制御装置から制御する例が特許文献１に開示されている。
【特許文献１】特開平８−２８９１９０号公報
【発明の開示】
【発明が解決しようとする課題】
【０００４】
上述のように従来は、レンズ側の応答速度に関係なく一定のループゲインにてレンズ絞りを制御していたため、テレビジョンカメラと組み合わせるレンズによって応答速度が異なっていた。また、カメラの使用される状況に応じた応答速度に調整できなかった。
【０００５】
特に、移動体を撮像する状況においてはレンズ絞りの応答速度を調整したいが調整できない、調整するための表示がないという課題があった。
本発明の目的は、上述のような問題を解決し、自動絞りレンズの応答速度を調整および調整するための表示を可能にすることにある。
【課題を解決するための手段】
【０００６】
上記の目的を達成するため本発明は、絞り制御可能なレンズ部と該レンズ部からの入射光を撮像し、映像信号を出力する撮像部とモニタとを有するテレビジョンカメラにおいて、前記撮像部は、前記レンズ部の絞りを制御するループゲイン可変部と、該ループゲイン可変部の設定を行う設定部および前記モニタに前記設定部の設定内容を表示する表示手段とを備えることを特徴とするテレビジョンカメラである。
【０００７】
また、上記のテレビジョンカメラにおいて、更に外部入力端子を備え、該外部入力端子から入力する信号によって前記ループゲイン可変部の設定を行うことを特徴とするテレビジョンカメラである。
【発明の効果】
【０００８】
本発明によれば、テレビジョンカメラとアンプ回路を内蔵していない自動絞りレンズとを組み合わせても、レンズ絞りの応答速度を調整できる。
【発明を実施するための最良の形態】
【０００９】
以下、本発明によるテレビジョンカメラの一実施例について図１と図２を用いて説明する。
図１は本発明の一実施例のテレビジョンカメラの簡単な構成を示す図である。なお、図１は本発明テレビジョンカメラの説明に必要な部分のみを記載している。また図２は本発明テレビジョンカメラの一実施例の表示画面例を説明するための図である。
【００１０】
図１において、１はアンプ回路７（後述）を内蔵していない自動絞りレンズ部、２はレンズ部１から入射した光を電気信号に変換するＣＣＤ（Charge Coupled Device）撮像素子、３はＣＣＤ撮像素子２から出力された信号から雑音を除去し利得を適応的に調整するＣＤＳ（Correlated Double Sampling）＆ＡＧＣ（Automatic Gain Control）、４はＣＤＳ＆ＡＧＣ３から出力された信号に種々の画像処理を施すＤＳＰ（Digital Signal Processor）、５はＮＴＳＣ（National Television System Committee）方式やＰＡＬ（Phase Alternating by Line）方式等に映像信号を変換するＥＮＣ（Encoder）、１２はＥＮＣ５から出力された信号と文字信号発生部１１（後述）から出力された信号を合成する合成部、３０は合成部１２から出力された信号を表示するモニタ、８は入力された信号に応じて予め定められたプログラムに従ってＤＳＰ４と文字信号発生部１１（後述）とループゲイン可変回路６（後述）を制御するＣＰＵ（マイクロコンピュータ）、１１はＣＰＵ８から出力された信号に従ってモニタ３０に文字表示させるための文字信号を発生する文字信号発生部、６はＤＳＰ４から入力されたアイリス制御信号をＣＰＵ８から入力された信号に従って制御するループゲイン可変回路、７はループゲイン可変回路６から入力された信号を増幅するアンプ回路、９はアンプ回路７から入力された信号でレンズ部１のレンズ絞りを駆動するための絞り制御モータ、１０はループゲイン可変回路６の設定値をＣＰＵ８を介してオペレータが設定するための設定ボタンである。１４は撮像部１３の外部からレンズ部１のレンズ絞りを制御するためのリモート端子、１５はリモート端子から入力されたリモート制御信号である。
【００１１】
図２において、表示画面はモニタ３０に表示される。４０は合成部１２から出力される映像信号レベル（ＬＥＶＥＬ）とループゲイン可変回路６の応答速度（ＳＰＥＥＤ）を設定時に表示画面上で選択するためのカーソル、４１はループゲイン可変回路６の設定値を表示画面上に表示するための表示バーである。４２は合成部１２から出力される映像信号レベルの設定値を表示画面上に表示するための表示バーである。
【００１２】
次に、本発明の動作について詳細に説明する。
図１において、図示していない被写体からの光はレンズ部１に入射される。レンズ部１は、入射された光をレンズ絞りで光量調整して撮像部１３のＣＣＤ撮像素子２に結像する。ＣＣＤ撮像素子２は結像された光を光電変換してＣＤＳ＆ＡＧＣ３に出力する。ＣＤＳ＆ＡＧＣ３は入力された信号から雑音を除去し利得を適応的に調整してＤＳＰ４に出力する。ＤＳＰ４は入力された信号に輪郭強調やホワイトバランス調整等の種々の画像処理をＣＰＵ８から出力された信号に従って施し、ＥＮＣ５とループゲイン可変回路６に出力する。ＥＮＣ５は入力された信号をＮＴＳＣ方式やＰＡＬ方式等の映像信号に変換して合成部１２に出力する。合成部１２は入力された映像信号に文字信号発生部１１から出力された文字信号を合成してモニタ３０に出力する。モニタ３０は入力された信号を画像表示する。ループゲイン可変回路６は、ＣＰＵ８から入力された映像信号レベル設定値とＤＳＰ４から入力されたアイリス制御信号とを比較し、ＤＳＰ４から入力されたアイリス制御信号がＣＰＵ８から入力された映像信号レベル設定値と同じになるまで出力レベルを増減させる。また、ループゲイン可変回路６は、ＣＰＵ８から入力したレンズ絞りの応答速度の設定値に従ってＤＳＰ４から入力したアイリス制御信号を増減させ、アンプ回路７に出力する。アンプ回路７は入力されたアイリス制御信号を増幅してレンズ部１の絞り制御モータ９に出力する。絞り制御モータ９は入力されたアイリス制御信号に従いレンズ部１のレンズ絞りを制御して入射光の光量調整を行う。
【００１３】
次に図１と図２を用いてレンズ部１のレンズ絞りの応答速度を調整する一実施例について説明する。
図１においてオペレータは、例えば５つのボタンで構成された設定ボタン１０の中央ボタンを押すことによりモニタ３０に表示されている被写体画像に図２の表示画面を合成表示させることができる。
【００１４】
そしてオペレータは、モニタ３０に合成表示されている図２の表示画面を見ながら設定ボタン１０の上側または下側のボタンを押してカーソル４０を“ＬＥＶＥＬ”の項目に移動させる。次に設定ボタン１０の左側または右側のボタンを押して表示バー４２を所望の位置に移動させる。表示バー４２は左に移動させると被写体画像が暗くなり、右に移動させると被写体画像が明るくなる。
【００１５】
この動作は、ＣＰＵ８がオペレータの押した設定ボタン１０のボタンを認識して文字信号発生部１１から表示画面の表示バー４２の位置を表示させている。また、表示バー４２の位置からＣＰＵ８は映像信号レベル設定値を生成してループゲイン可変回路６に出力する。ループゲイン可変回路６は、ＣＰＵ８から入力された映像信号レベル設定値とＤＳＰ４から入力されたアイリス制御信号とを比較し、ＤＳＰ４から入力されたアイリス制御信号がＣＰＵ８から入力された映像信号レベル設定値と同じ値になるまでアイリス制御信号のレベルを所定量づつ増減させ、アイリス制御信号をアンプ回路７に出力する。アンプ回路７は入力されたアイリス制御信号を増幅してレンズ部１の絞り制御モータ９に出力する。絞り制御モータ９は入力されたアイリス制御信号に従いレンズ部１のレンズ絞りを制御して入射光の光量調整を行う。上記のループゲイン可変回路６から出力されるアイリス制御信号レベルの所定量づつの増減とは、１回の所定量のアイリス制御信号のレベル増減に対してレンズ絞りを所定量開閉する。
【００１６】
次にオペレータは、モニタ３０に合成表示されている図２の表示画面を見ながら設定ボタン１０の上側または下側のボタンを押してカーソル４０を“ＳＰＥＥＤ”の項目に移動させる。次に設定ボタン１０の左側または右側のボタンを押して表示バー４１を所望の位置に移動させる。表示バー４１は左に移動させると応答速度が所定量遅くなり、右に移動させると応答速度が所定量速くなる。
【００１７】
この動作は、ＣＰＵ８がオペレータの押した設定ボタン１０のボタンを認識して文字信号発生部１１から表示画面の表示バー４１の位置を表示させている。また、表示バー４１の位置からＣＰＵ８はレンズ絞りの応答速度の設定値を生成してループゲイン可変回路６に出力する。ループゲイン可変回路６は、ＣＰＵ８から入力されたレンズ絞りの応答速度の設定値に従ってＤＳＰ４から入力されたアイリス制御信号の増幅率を増減させ、アイリス制御信号をアンプ回路７に出力する。アンプ回路７は入力されたアイリス制御信号を増幅してレンズ部１の絞り制御モータ９に出力する。絞り制御モータ９は入力されたアイリス制御信号に従いレンズ部１のレンズ絞りを制御して入射光の光量調整を行う。
【００１８】
なお、上記の一実施例では、映像信号に表示画面の文字信号を合成しているが、表示画面の文字信号のみをモニタ３０に表示しても良い。
次に、本発明の他の実施例について図1と図２を用いて説明する。
【００１９】
オペレータが遠隔操作により映像信号レベルとレンズ絞りの応答速度を制御したい場合は、リモート端子１４に例えばインターネットを介してパソコンや操作器等からリモート制御信号を入力する。入力されたリモート制御信号１５はＣＰＵ８に入力される。ＣＰＵ８は入力されたリモート制御信号１５からレンズ絞りの応答速度の設定値を生成してループゲイン可変回路６に出力する。ループゲイン可変回路６は、ＣＰＵ８から入力されたレンズ絞りの応答速度の設定値に従ってＤＳＰ４から入力されたアイリス制御信号の増幅率を増減させてアンプ回路７に出力する。アンプ回路７は入力されたアイリス制御信号を増幅してレンズ部１の絞り制御モータ９に出力する。絞り制御モータ９は入力されたアイリス制御信号に従いレンズ部１のレンズ絞りを制御して入射光の光量調整を行う。また、ＣＰＵ８は入力されたリモート制御信号１５から映像信号レベル設定値を生成してループゲイン可変回路６に出力する。ループゲイン可変回路６は、ＣＰＵ８から入力された上記設定値とＤＳＰ４から入力されたアイリス制御信号と比較し、ＤＳＰ４から入力されたアイリス制御信号がＣＰＵ８から入力された映像信号レベル設定値と同じ値になるまでアイリス制御信号を増減させて、アンプ回路７に出力する。アンプ回路７は入力されたアイリス制御信号を増幅してレンズ部１の絞り制御モータ９に出力する。絞り制御モータ９は入力されたアイリス制御信号に従いレンズ部１のレンズ絞りを制御して入射光の光量調整を行う。
【００２０】
上記の遠隔操作によるレンズ絞りの応答速度の設定値と映像信号レベル設定値は、ＣＰＵ８が図２の表示画面の表示バー４１と表示バー４２の表示位置に反映させている。
また、図２の表示画面を表示するモニタ３０は、テレビジョンカメラに装着するビューファインダでも良い。
【００２１】
以上本発明について詳細に説明したが、本発明は、ここに記載されたテレビジョンカメラに限定されるものではなく、上記以外のテレビジョンカメラに広く適用することができることは言うまでもない。
【図面の簡単な説明】
【００２２】
【図１】本発明のテレビジョンカメラの一実施例の簡単な構成を示す図。
【図２】本発明のテレビジョンカメラの一実施例の表示画面を示す図。
【符号の説明】
【００２３】
１：レンズ部、２：ＣＣＤ撮像素子、３：ＣＤＳ＆ＡＧＣ、４：ＤＳＰ、５：ＥＮＣ、６：ループゲイン可変回路、７：アンプ回路、８：ＣＰＵ、９：絞り制御モータ、１０：設定ボタン、１１：文字信号発生部、１２：合成部、１３：撮像部、１４：リモート端子、１５：リモート制御信号、３０：モニタ、４０：カーソル、４１，４２：表示バー。
【図１】
2006086815.tif 000003
【図２】
2006086815.tif 000004